(57)【要約】【課題】踵部のずれを好適に防止することが可能なフットカバーを提供する。【解決手段】履き口１０が上面に形成され、履き口１０の前方に位置する前方袋部１と、履き口１０の下方に位置する足底部６と、履き口１０の後方に位置する踵部７と、を備えたフットカバー２０であって、履き口１０の後方縁部１０ｒの内面に、高摩擦材料製の滑り止め部９が設けられている。【選択図】図１
2019189965.tif 000002
【特許請求の範囲】
【請求項１】
履き口が上面に形成され、
前記履き口の前方に位置する前方袋部と、前記履き口の下方に位置する足底部と、前記履き口の後方に位置する踵部と、を備えたフットカバーであって、
前記履き口の後方縁部の内面に、高摩擦材料製の滑り止め部が設けられているフットカバー。
【請求項２】
前記履き口の後方縁部が、前記踵部の上方端部を折り返してなる折り返し部として構成され、
前記滑り止め部が、前記折り返し部の内面に設けられている請求項１に記載のフットカバー。
【請求項３】
前記前方袋部において少なくとも前記履き口の前方縁部の両端部の前方側の部分に、前記足底部よりも前後方向での伸縮性が低い低伸縮部が設けられている請求項１又は２に記載のフットカバー。
【請求項４】
前記前方袋部が、全周丸編みで編成されたリング部と当該リング部の下半周部から往復編みでつま先を包むように編成されて前記リング部の上半周部に縫合されたつま先部とで構成され、
前記低伸縮部が、前記リング部に編成されている請求項３に記載のフットカバー。
【請求項５】
前記履き口の両側方縁部が、往復編みで編成された前記足底部の両側方端部として構成されている請求項１〜４の何れか１項に記載のフットカバー。
【発明の詳細な説明】
【技術分野】
【０００１】
本発明は、履き口が上面に形成され、前記履き口の前方に位置する前方袋部と、前記履き口の下方に位置する足底部と、前記履き口の後方に位置する踵部と、を備えたフットカバーに関する。
【背景技術】
【０００２】
靴下の一種として、スニーカやパンプス等の靴を履くときに着用しても、殆どが靴の内側に隠れて見えなくなって、素足で靴を履いているように見えるフットカバーが知られている。
かかるフットカバーは他の普通の靴下に比べて履き口が大きく開口しているため、フットカバーの踵部が歩行中にずれて脱げてしまうという問題がある。
そして、このような問題を解決するフットカバーとして、踵部の略中央の後方膨出部分の内面にシリコン樹脂製の滑り止め部が設けられたもの（例えば特許文献１を参照。）が提案されている。
【先行技術文献】
【特許文献】
【０００３】
【特許文献１】特開２０１４−４３６６２号公報
【発明の概要】
【発明が解決しようとする課題】
【０００４】
フットカバーの踵部は、着用者の踵の形状に沿って後方に膨出する部分であり、好適な装着感を確保するべく比較的柔軟な編地として構成されている。よって、このような柔軟な踵部では、略中央部の内面に設けられた滑り止め部を着用者の踵表面に押し付けるための張力が生じ難くなり、フットカバーの踵部のずれ防止効果が十分に発揮できない場合があった。
また、フットカバーの踵部における略中央部の内面に厚みを有する滑り止め部を設けた場合には、その滑り止め部に対応する踵部の外面に凸部が形成される。すると、このフットカバーの踵部外面に形成された凸部が、靴の踵部内面に当接して、両者の間に比較的大きな摩擦力が生じる。そして、このような摩擦力が生じることにより、靴の内部でフットカバーの踵部が着用者の踵からずれるという問題が発生する場合がある。
【０００５】
この実情に鑑み、本発明の主たる課題は、踵部のずれを好適に防止することが可能なフットカバーを提供する点にある。
【課題を解決するための手段】
【０００６】
本発明の第１特徴構成は、履き口が上面に形成され、
前記履き口の前方に位置する前方袋部と、前記履き口の下方に位置する足底部と、前記履き口の後方に位置する踵部と、を備えたフットカバーであって、
前記履き口の後方縁部の内面に、高摩擦材料製の滑り止め部が設けられている点にある。
【０００７】
本構成によれば、着用時に履き口が前後方向に伸張する際に、履き口の側方縁部が前後方向に伸張し、その側方縁部の引張力が、着用者の踵上方の窪み（アキレス腱部の窪み）へ引っ掛かる履き口の後方縁部に対して、前方へ向かう引張力として作用することになる。
そして、その履き口の後方縁部の内面に高摩擦材料製の滑り止め部が設けられている。このことにより、当該滑り止め部は、履き口の側方縁部から後方縁部に対して作用する前方へ向かう引張力により、着用者の踵上方の表面に好適に押し付けられることになる。よって、履き口の後方縁部の内面に設けた滑り止め部と着用者の踵上部の表面との間に良好な摩擦力が生じ、結果、フットカバーの踵部のずれを好適に防止することができる。
また、滑り止め部が、着用者の踵上方の窪みへ引っ掛かる履き口の後方縁部の内面に設けられているので、その外面に滑り止め部の厚さに起因する凸部が形成された場合であっても、その凸部が靴の踵部内面に当接することが抑制される。よって、その凸部と靴の内面との間に摩擦力が生じることを防止して、靴の内部でフットカバーの踵部が着用者の踵から脱げることを好適に防止するこができる。
従って、本発明により、踵部のずれを好適に防止することが可能なフットカバーを提供することができる。
【０００８】
本発明の第２特徴構成は、前記履き口の後方縁部が、前記踵部の上方端部を折り返してなる折り返し部として構成され、
前記滑り止め部が、前記折り返し部の内面に設けられている点にある。
【０００９】
本構成によれば、履き口の後方縁部を上記折り返し部として構成することで、着用者の踵上方の窪みへの履き口の後方縁部の引っ掛かりを良好なものとして、踵部のずれを一層防止することができる。
更に、このような折り返し部は、踵部の上方端部を折り返して構成されているので、それ以外の踵部の編地よりも伸縮性が低くなる。よって、履き口が着用者の足首周りで広がると、この履き口の後方縁部として構成された折り返し部に比較的大きな張力が生じ、その大きな張力により、折り返し部の内面に設けられた滑り止め部が、比較的大きな力で着用者の踵上方の表面に押し付けられることになる。よって、着用者の踵上部の表面に対する滑り止め部の摩擦力を増加させることができ、フットカバーの踵部のずれを一層良好に防止することができる。
また、折り返し部の内面に厚さを有する滑り止め部を設けた場合であっても、滑り止め部の厚みが折り返し部の厚みによってある程度吸収されるので、折り返し部の外面では、滑り止め部の厚さに起因する凸部が形成され難くなる。よって、その凸部に起因する靴の内部でのフットカバーの踵部のずれを一層良好に抑制することができる。
【００１０】
本発明の第３特徴構成は、前記前方袋部において少なくとも前記履き口の前方縁部の両端部の前方側の部分に、前記足底部よりも前後方向での伸縮性が低い低伸縮部が設けられている点にある。
【００１１】
本構成によれば、履き口の前方に位置する前方袋部に上記低伸縮部が設けられているので、着用時に全体が前後方向に伸張する際に、上記低伸縮部での前後方向の伸張が足底部よりも抑制されることになる。すると、上記低伸縮部から履き口の前方縁部の両端部に対して前方へ引っ張る引張力が生じ、その引張力が履き口の側方縁部を通じて履き口の後方縁部の両端部に伝達されることになる。
このように履き口の後方縁部の両端部に前方へ引っ張る引張力が作用すると、当該履き口の後方縁部が着用者の踵上方の窪みに対して良好に引っ掛かり、その状態が維持される。更に、履き口の後方縁部に対して作用する引張力により、その後方縁部の内面に設けられた滑り止め部を大きな力で着用者の踵上方の表面に押し付けることができる。
これらのことにより、フットカバーの踵部のずれを一層良好に防止することができる。
【００１２】
本発明の第４特徴構成は、全周丸編みで編成されたリング部と当該リング部の下半周部から往復編みでつま先を包むように編成されて前記リング部の上半周部に縫合されたつま先部とで構成され、
前記低伸縮部が、前記リング部に編成されている点にある。
【００１３】
本構成によれば、前方袋部の後方側が全周丸編みで編成された上記リング部として構成されているので、そのリング部において、足底部よりも前後方向での伸縮性が低い低伸縮部を、履き口の前方縁部の両端部の前方側の部分に容易に編成することができる。即ち、履き口の両側方縁部の前方端部（言い換えれば履き口の前方縁部の両端部）の直前方側に上記低伸縮部が位置することになる。すると、着用時において、上記低伸縮部からその直後方側に位置する履き口の両側方縁部の前端部に対して良好に引張力を作用させることができ、履き口の後方縁部の両端部に伝達される引張力を増加させることができる。よって、着用者の踵上方の表面に対する後方縁部の内面に設けられた滑り止め部の押し付け力を増加させて、フットカバーの踵部のずれを一層良好に防止することができる。
【００１４】
本発明の第５特徴構成は、前記履き口の両側方縁部が、往復編みで編成された前記足底部の両側方端部として構成されている点にある。
【００１５】
本構成によれば、往復編みの両側方端部についてはウェール方向（編地の縦方向）の伸縮性が低下することを利用して、履き口の両側方縁部を往復編みで編成された足底部の両側方端部として構成することで、上記低伸縮帯状部から履き口の両側方縁部の前方端部に伝達された引張力を、伸縮性が低い履き口の両側方縁部を通じて確実に、履き口の後方縁部の両端部に作用させることができる。よって、着用者の踵上方の表面に対する後方縁部の内面に設けられた滑り止め部の押し付け力を増加させて、フットカバーの踵部のずれを一層良好に防止することができる。
【図面の簡単な説明】
【００１６】
【図１】第１実施形態に係るフットカバーの側面図
【図２】第１実施形態に係るフットカバーの平面図
【図３】第１実施形態に係るフットカバーの踵部を内面側から見た部分図
【図４】第２実施形態に係るフットカバーの側面図
【図５】第２実施形態に係るフットカバーの平面図
【図６】別実施形態に係るフットカバーの踵部を内面側から見た部分図
【図７】別実施形態に係るフットカバーの踵部を内面側から見た部分図
【発明を実施するための形態】
【００１７】
〔第１実施形態〕
本発明に係るフットカバーの第１実施形態について、図１、図２、及び図３に基づいて説明する。
本実施形態のフットカバー２０は、図１及び図２に示すように、履き口１０が上面に形成され、その履き口１０の前方に位置する前方袋部１と、その履き口１０の下方に位置する足底部６と、その履き口１０の後方に位置する踵部７と、を備えて構成されている。尚、このようなフットカバー２０は、公知の全自動丸編み機によって一体的に編成することができる。
【００１８】
フットカバー２０は、前後方向に伸張させながら履き口１０に足を挿入して着用され、着用時において履き口１０からは、着用者の足首と足甲の大部分が露出された状態となる。よって、スニーカやパンプス等の靴を履くときにこのようなフットカバー２０を着用すると、その殆どが靴の内側に隠れて見えなくなり、素足で靴を履いているように見える。
【００１９】
履き口１０の前方に位置する前方袋部１は、全周丸編みで編成されたリング部３と当該リング部３の下半周部からつま先を包むように往復編みで編成されてリング部３の上半周部に対してリンキング等による縫合部１２で縫合されたつま先部２とで構成されている。尚、このつま先部２の両側面には、当該つま先部２を立体的に膨らむように形成するためのゴアライン１３として、縫合部１２の両端部から前方に延出して先端が二又に分割された主ゴアライン１３ａが設けられている。尚、本実施形態において、前方袋部１は、後述する低伸縮帯状部４や高弾性帯状部５を除いて、通常のメリヤス編みにより編成されている。
【００２０】
履き口１０の下方に位置する足底部６は、リング部３の下半周部から着用者の足底や足側部に沿って往復編みにより編成されている。履き口１０の後方に位置する踵部７は、足底部６の後方から着用者の踵を包むように往復編みで編成されている。尚、踵部７の両側面には、当該踵部７を立体的に膨らむように形成するためのゴアライン１４として、履き口１０の両側方縁部１０ｓの後方部分から後方に延出して先端が二又に分割された主ゴアライン１４ａが設けられている。尚、足底部６及び踵部７は、後述する折り返し部８を除いて、通常のメリヤス編みにより編成されている。
【００２１】
履き口１０は、リング部３の上半周部の後方端部となる前方縁部１０ｆと、足底部６の両側方端部となる両側方縁部１０ｓと、踵部７の上方端部となる後方縁部１０ｒとで囲われた開口として形成されている。
【００２２】
以上がフットカバー２０の基本構成であるが、本実施形態のフットカバー２０は、装着製に優れていながら、踵部７のずれを防止するための特徴構成を有する。以下に、その特徴構成について説明を加える。
【００２３】
履き口１０の後方縁部１０ｒは、図３にも示すように、踵部７の上方端部を２重に折り返して縫合してなる折り返し部８として構成されている。更に、この折り返し部８には、ゴム糸が緯方向に挿入されている。即ち、折り返し部８は、他の部分よりも厚みがあって左右方向に高弾性の部分として構成されることになる。このことにより、折り返し部８として構成された履き口１０の後方縁部１０ｒは、着用者の踵上方の窪みへの引っ掛かりが良好なものとなって、踵部７のずれが抑制されることになる。
【００２４】
更に、この折り返し部８として構成された履き口１０の後方縁部１０ｒの内面には、シリコンゴム、天然ゴム、ポリウレタン等の高摩擦材料製の滑り止め部９が設けられている。具体的に、この滑り止め部９は、後方縁部１０ｒの内面における折り返し部８の形成領域内において、最も後方となる中心部から左右に広がる連続的な線状に形成されており、上下方向において折り返し部８の下縁部よりも若干上方に配置されている。
【００２５】
このように設けられた滑り止め部９は、履き口１０の側方縁部１０ｓから後方縁部１０ｒに対して作用する前方へ向かう引張力により、着用者の踵上方の表面に好適に押し付けられることになる。
更に、この滑り止め部９は、高弾性の折り返し部８の内面に設けられているため、履き口１０が着用者の足首周りで広がる状態となって折り返し部８に比較的大きな張力が生じることで、その大きな張力により、滑り止め部９が比較的大きな力で着用者の踵上方の表面に押し付けられる。
そして、これらの押し付け力により、滑り止め部９と着用者の踵上部の表面との間に比較的大きな摩擦力が生じ、その大きな摩擦力により、フットカバー２０の踵部７のずれが好適に防止されることになる。
【００２６】
また、滑り止め部９は、着用者の踵上方の窪みへ引っ掛かる履き口１０の後方縁部１０ｒの内面に設けられていることから、その滑り止め部９がある程度の厚みを有し、その厚みに起因して後方縁部１０ｒの外面に凸部が形成された場合でも、その凸部が靴の内面に当接され難くなる。よって、その凸部の靴の内面への擦れによって生じる靴内部での踵部７のずれにいついても好適に防止されることになる。
更に、滑り止め部９は、ある程度の厚みを有する折り返し部８の内面に設けられているので、滑り止め部９の厚みの殆どが折り返し部の厚みによって吸収される。よって、折り返し部８の外面には、滑り止め部９の厚さに起因する凸部は殆ど形成されなくなる。よって、その凸部に起因する靴の内部での踵部７のずれが一層良好に抑制されることになる。
【００２７】
図１及び図２に示すように、前方袋部１において少なくとも履き口１０の前方縁部１０ｆに沿った帯状の部分には、足底部６よりも前後方向での伸縮性が低い低伸縮帯状部４が設けられている。具体的には、低伸縮帯状部４は、前方袋部１の後方側を構成するリング部３において、上中央部から左右に延びる帯状であって、図１に示すように、その両端部を履き口１０の前方縁部１０ｆの両端部よりも若干下方側に位置させたものとして編成されている。
そして、この低伸縮帯状部４の両端部は、前方袋部１において少なくとも履き口１０の前方縁部１０ｆの両端部の前方側の部分に設けられ、足底部６よりも前後方向での伸縮性が低い低伸縮部４ａとなる。
【００２８】
編地のウェール方向（縦方向）に相当するフットカバー２０の前後方向において足底部６よりも伸縮性が低い低伸縮帯状部４については、様々な方法により構成することができる。
例えば、足底部６が通常のメリヤス編みで編成されているのに対して、ウェール方向に伸び難い性質を有するタック編みにより低伸縮帯状部４を編成することで、当該低伸縮帯状部４の伸縮性を足底部６よりも低くすることができる。
【００２９】
また、このような低伸縮性の低伸縮帯状部４は、例えば、給糸に高弾性又は非伸縮性等の添え糸や後の熱処理で硬化する熱融着糸を添えたメリヤス編み等で編成することでも、低伸縮帯状部４の伸縮性を低下させることができる。また、上記以外の編成方法、例えば鹿の子編みやゴム編み等によっても、低伸縮性の低伸縮帯状部４を編成することができる。また、この低伸縮帯状部４は、塩化ビニルやシリコン製のラミネートを高温で定着させてなるプリント部として構成したり、低伸縮帯状部４の編地に別の布地を縫合又は接着して２重構造とすることでも、当該低伸縮帯状部４の伸縮性を低下させることができる。
【００３０】
このような低伸縮帯状部４が前方袋部１のリング部３に設けられていることで、着用時に全体が前後方向に伸張する際に、上記低伸縮帯状部４での前後方向の伸張が足底部６よりも抑制されることになる。すると、上記低伸縮帯状部４の特に履き口１０の前方縁部１０ｆの両端部の前方側にある低伸縮部４ａから履き口１０の前方縁部１０ｆの両端部に対して前方へ引っ張る引張力が生じ、その引張力が履き口１０の側方縁部１０ｓを通じて履き口１０の後方縁部１０ｒの両端部に伝達されることになる。
【００３１】
このように履き口１０の後方縁部１０ｒの両端部に前方へ引っ張る引張力が作用すると、当該履き口１０の後方縁部１０ｒが着用者の踵上方の窪みに対して良好に引っ掛かり、その状態が維持される。このことで、踵部７が歩行中にずれることを好適に防止することができる。
更に、後方縁部１０ｒに伝達される引張力により、履き口１０の後方縁部１０ｒとして構成された折り返し部８の内面に設けられた滑り止め部９が、比較的大きな力で着用者の踵上方の表面に押し付けられる。このことにより、着用者の踵上部の表面に対する滑り止め部９の摩擦力が増加し、結果、フットカバー２０の踵部７のずれが一層良好に防止されることになる。
【００３２】
前方袋部１において全周丸編みで編成されたリング部３において、低伸縮帯状部４の両端部の部分である低伸縮部４ａが、特に図１に示すように、履き口１０の前方縁部１０ｆの両側方縁部１０ｓに対する接続部である両端部の前方側の部分に設けられたものとなる。このことから、着用時において、低伸縮部４ａからその直後方側に位置する履き口１０の両側方縁部１０ｓの前端部に対して良好に引張力が作用し、履き口１０の後方縁部１０ｒの両端部に伝達される引張力が増加する。よって、着用者の踵上方の表面に対する滑り止め部９の押し付け力が増加し、結果、踵部７のずれが一層防止される。
【００３３】
更に、低伸縮帯状部４が、履き口１０の前方縁部１０ｆに沿った帯状の部分として構成されているので、着用時において、履き口１０の前方縁部１０ｆ全体を前方へ引っ張る引張力が生じることになり、着用者の足甲が履き口１０から一層大きく露出することになる。
【００３４】
往復編みの両側方端部についてはウェール方向の伸縮性が低下することから、往復編みで編成された足底部６の両側方端部として構成された履き口１０の両側方縁部１０ｓは、足底部６の中央部側よりもウェール方向の伸縮性が低下する。このことから、低伸縮帯状部４から履き口１０の両側方縁部１０ｓの前方端部に伝達された引張力は、伸縮性が低い履き口１０の両側方縁部１０ｓを通じて確実に、履き口１０の後方縁部１０ｒの両端部に作用し、結果、踵部７のずれが一層防止される。
【００３５】
履き口１０の前方縁部１０ｆを通って全周にわたる帯状の部分には、足底部６よりも周方向での弾性が高い高弾性帯状部５が編成されている。そして、高弾性帯状部５の略上半周部の前方に低伸縮帯状部４が隣接して設けられており、高弾性帯状部５の略上半周部の後方に履き口１０の前方縁部１０ｆが隣接配置されている。
【００３６】
このような高弾性帯状部５は、着用時において周方向で収縮して、着用者の土踏まず付近の窪みに密着する。このことで、足底部６が前後方向にずれることが防止されている。一方、高弾性帯状部５の略上半周部では、着用者の足甲に殆ど窪みがないことから、適度に前方に移動することが許容されている。このことから、低伸縮帯状部４の反発力が履き口１０の両側方縁部１０ｓの前方端部に対して前方へ引っ張る引張力として好適に伝達させることができる。尚、本実施形態において、高弾性帯状部５は、通常のゴム編みで編成されているが、例えばゴム糸を添えて弾性を高めるように編成しても構わない。
【００３７】
〔第２実施形態〕
本発明に係るフットカバーの第２実施形態について、図４及び図５に基づいて説明する。
尚、本実施形態のフットカバーは、前述の第１実施形態のフットカバーに対して、低伸縮帯状部やゴアラインの形状のみが相違する。よって、以下の説明において、前述の第１実施形態と同様の構成については詳細な説明を割愛する場合がある。
【００３８】
図４及び図５に示すように、本実施形態のフットカバーの低伸縮帯状部４０は、上記第１実施形態で説明した低伸縮帯状部４（図１及び図２参照）と同様に、前方袋部１の後方側を構成するリング部３において、上中央部から左右に延びる帯状であって、図４に示すように、その両端部を履き口１０の前方縁部１０ｆの両端部よりも若干下方側に位置させたものとして編成されている。
そして、この低伸縮帯状部４０の両端部は、前方袋部１において少なくとも履き口１０の前方縁部１０ｆの両端部の前方側の部分に設けられ、足底部６よりも前後方向での伸縮性が低い低伸縮部４０ａとなる。
【００３９】
このような低伸縮帯状部４０が前方袋部１のリング部３に設けられていることで、上記第１実施形態と同様に、着用時に全体が前後方向に伸張する際に、上記低伸縮帯状部４０での前後方向の伸張が足底部６よりも抑制されることになる。すると、上記低伸縮帯状部４０の特に履き口１０の前方縁部１０ｆの両端部の前方側にある低伸縮部４０ａから履き口１０の前方縁部１０ｆの両端部に対して前方へ引っ張る引張力が生じ、その引張力が履き口１０の側方縁部１０ｓを通じて履き口１０の後方縁部１０ｒの両端部に伝達されることになる。
更に、本実施形態では、図５に示すように、低伸縮帯状部４０の両端部において、低伸縮部４０ａは、後方ほど外方に位置する状態で傾斜配置されている。このことで、低伸縮部４０ａに対して前方縁部１０ｆから後方に加わる引張力を、低伸縮帯状部４０における上中央部から左右に対する伸縮力によっても対抗することができるようになる。
【００４０】
低伸縮帯状部４０において低伸縮部４０ａ以外の中央部４０ｂは、両端部の低伸縮部４０ａの前縁部同士を繋ぐ細帯状に形成されている。
即ち、低伸縮帯状部４０の中央部４０ｂの前後方向の幅は、低伸縮部４０ａよりも細いものとして形成されている。すると、リング部３において、上記中央部４０ｂが配置された着用者の足甲に沿う上面部分において、前後方向での伸縮性の低下が適度に抑制されるので、前後方向において突っ張るなどの低伸縮帯状部４０に起因する装着感の悪化を抑制することができる。
【００４１】
本実施形態のフットカバーには、ゴアライン１３，１４において、主ゴアライン１３ａ，１４ａから分岐して下方に延出する複数の副ゴアライン１３ｂ１、１４ｂ１，１４ｂ２，１４ｂ３が設けられている。このことにより、前方袋部１の足底部及び足底部６は、副ゴアライン１３ｂ１、１４ｂ１，１４ｂ２，１４ｂ３によって十分な膨らみを持ったものとなる。よって、ずれや脱げることを防止するべく前方袋部１の足甲部（上面部分）や踵部７の上方端部（履き口１０の後方縁部１０ｒ）の伸縮が低伸縮部４０や折り返し部８により抑制されている場合であっても、着用者に対して窮屈な装着感を与えることがない。
【００４２】
特に、つま先部２側のゴアライン１３において足底部６の中央部に近い縫合部１２の両端部付近から下方に延出する副ゴアライン１３ｂ１と、踵部７側のゴアライン１４において足底部６の中央部に近い履き口１０の両側方縁部１０ｓの後方部分付近から下方に延出する副ゴアライン１４ｂ１とが設けられていることで、履き口１０の両側方縁部１０ｓの足底部６の中央部側に十分な膨らみが実現されている。このことで、フットカバーは装着時において着用者の足底の側部を包み込む状態となり、結果、良好な装着感を実現しながらずれや脱げることを好適に防止することができる。
尚、本実施形態において、副ゴアライン１４ｂ１は、図４に示すように、主ゴアライン１４ａから下方に分岐するものとして構成したが、この副ゴアライン１４ｂ１を、主ゴアライン１４ａと分離しても構わない。例えば、副ゴアライン１４ｂ１を、履き口１０の両側方縁部１０ｓにおいて主ゴアライン１４ａの接続部よりも前方の位置から可能に延出するものとして構成することもできる。
また、前述の第１実施形態においても、当該第２実施形態で説明したゴアライン１３，１４の構成を採用することができる。
【００４３】
〔別実施形態〕
本発明の他の実施形態について説明する。尚、以下に説明する各実施形態の構成は、それぞれ単独で適用することに限らず、他の実施形態の構成と組み合わせて適用することも可能である。
【００４４】
（１）上記実施形態では、滑り止め部９を連続する線状に形成したが、図６に示すように、滑り止め部９を断続的な破線状に形成しても構わない。また、上記実施形態では、上下方向における滑り止め部９の位置を、折り返し部８の下縁部よりも若干上方の位置としたが、当該滑り止め部９の位置については、折り返し部８として構成された履き口１０の後方縁部１０ｒにおいて適宜変更することができ。例えば図７に示すように、折り返し部８の下縁部に沿って滑り止め部９を設けても構わない。
【００４５】
（２）上記実施形態では、低伸縮帯状部４や高弾性帯状部５を設けたが、これらは適宜改変又は省略しても構わない。また、上記実施形態では、前方袋部１において少なくとも履き口１０の前方縁部１０ｆに沿った帯状の低伸縮帯状部４の両端部を低伸縮部４ａとしたが、前方袋部１において履き口１０の前方縁部１０ｆの両端部の前方側の部分のみに低伸縮部を設けても構わない。
【００４６】
（３）上記実施形態では、履き口１０の前方に位置する前方袋部１を、全周丸編みで編成したリング部３と往復編みで編成したつま先部２とで構成したが、例えば、リング部３を省略して、往復編みのみでつま先を包むように前方袋部１を編成しても構わない。
【００４７】
（４）上記実施形態では、履き口１０の後方縁部１０ｒを、踵部７の上方端部を折り返してなる折り返し部８として構成したが、踵部７の上方端部を折り返すことなく例えばゴム編み等を施して履き口１０の後方縁部１０ｒを構成しても構わない。
【符号の説明】
【００４８】
１      前方袋部
２      先部
３      リング部
４ａ    低伸縮部
６      足底部
７      踵部
８      折り返し部
９      滑り止め部
１０    口
１０ｆ  前方縁部
１０ｒ  後方縁部
１０ｓ  側方縁部
２０    フットカバー
【図１】
2019189965.tif 000003
【図２】
2019189965.tif 000004
【図３】
2019189965.tif 000005
【図４】
2019189965.tif 000006
【図５】
2019189965.tif 000007
【図６】
2019189965.tif 000008
【図７】
2019189965.tif 000009